(57)【要約】【課題】発光素子の光を交差点に適切に配光可能な交差点用照明器具を提供すること。【解決手段】交差点９０の隅部９０Ａに配置される交差点用照明器具１において、複数の発光素子を基板上に配置して面状の発光部を形成した発光素子モジュールと、この発光素子モジュールの光を配光する反射鏡とを有する発光素子ユニットを備え、反射鏡は、交差点９０内に向けて水平方向に広い角度で扇状に配光する、発光部側に湾曲して形成した中央反射面と、この中央反射面で配光する範囲ＡＡを挟んだ両側に向けてそれぞれ配光する少なくとも一対の側方反射面とを一体に有し、発光素子ユニットにより、交差点用照明器具１が配置される隅部９０Ａと、当該隅部９０Ａに対面する隅部９０Ｂとの間を照明する構成とした。【選択図】図１４
2014072082.tif 000002
【特許請求の範囲】
【請求項１】
交差点の隅部に配置される交差点用照明器具において、
複数の発光素子を基板上に配置して面状の発光部を形成した発光素子モジュールと、この発光素子モジュールの光を配光する反射鏡とを有する発光素子ユニットを備え、
前記反射鏡は、前記交差点内に向けて水平方向に広い角度で扇状に配光する、発光部側に湾曲して形成した中央反射面と、この中央反射面で配光する範囲を挟んだ両側に向けてそれぞれ配光する少なくとも一対の側方反射面とを一体に有し、
前記発光素子ユニットにより、前記交差点用照明器具が配置される隅部と、当該隅部に対面する隅部との間を照明することを特徴とする交差点用照明器具。
【請求項２】
複数の前記発光素子を基板上に配置して面状の発光部を形成した発光素子モジュールを備え、
前記反射鏡は、前記発光素子モジュールの発光部との間に光軸方向に対して離間配置されるとともに、前記発光部からの直射光が照射される直射光エリアの周囲を取り囲むように配光することを特徴とする請求項１に記載の交差点用照明器具。
【請求項３】
前記反射鏡は、前記交差点用照明器具が配置される隅部の両側に位置する、前記交差点に接続される道路に向けてそれぞれ配光する道路反射面を有することを特徴とする請求項１又は２に記載の交差点用照明器具。
【請求項４】
前記反射鏡は、前記交差点用照明器具の背後に向けて配光する背後反射面を有することを特徴とする請求項１又は２に記載の交差点用照明器具。
【発明の詳細な説明】
【技術分野】
【０００１】
本発明は、発光素子を備えた交差点用照明器具に関する。
【背景技術】
【０００２】
従来、交差点の隅部に立設した支柱に器具本体を支持し、器具本体内に備える光源（高圧放電ランプ）の光を反射鏡により配光して交差点を照明する交差点用照明器具が知られている（例えば、特許文献１参照）。
【先行技術文献】
【特許文献】
【０００３】
【特許文献１】特開２００５−０９００５８号公報
【発明の概要】
【発明が解決しようとする課題】
【０００４】
近年では、発光素子の高輝度化に伴い、小型、低消費電力、長寿命等の特性を有するＬＥＤ等の発光素子を光源に用いることが提案されており、発光素子の光を交差点に適切に配光可能な反射鏡が望まれている。
本発明は、上述した事情に鑑みてなされたものであり、発光素子の光を交差点に適切に配光可能な交差点用照明器具を提供することを目的とする。
【課題を解決するための手段】
【０００５】
上記目的を達成するために、本発明の交差点用照明器具は、交差点の隅部に配置される交差点用照明器具において、複数の発光素子を基板上に配置して面状の発光部を形成した発光素子モジュールと、この発光素子モジュールの光を配光する反射鏡とを有する発光素子ユニットを備え、前記反射鏡は、前記交差点内に向けて水平方向に広い角度で扇状に配光する、発光部側に湾曲して形成した中央反射面と、この中央反射面で配光する範囲を挟んだ両側に向けてそれぞれ配光する少なくとも一対の側方反射面とを一体に有し、前記発光素子ユニットにより、前記交差点用照明器具が配置される隅部と、当該隅部に対面する隅部との間を照明することを特徴とする。
【０００６】
また本発明は、上記交差点用照明器具において、複数の前記発光素子を基板上に配置して面状の発光部を形成した発光素子モジュールを備え、前記反射鏡は、前記発光素子モジュールの発光部との間に光軸方向に対して離間配置されるとともに、前記発光部からの直射光が照射される直射光エリアの周囲を取り囲むように配光することを特徴とする。
【０００７】
また本発明は、上記交差点用照明器具において、前記反射鏡は、前記交差点用照明器具が配置される隅部の両側に位置する、前記交差点に接続される道路に向けてそれぞれ配光する道路反射面を有することを特徴とする。
【０００８】
また本発明は、上記交差点用照明器具において、前記反射鏡は、前記交差点用照明器具の背後に向けて配光する背後反射面を有することを特徴とする。
【発明の効果】
【０００９】
本発明によれば、交差点内に向けて水平方向に広い角度で扇状に配光する、発光部側に湾曲して形成した中央反射面と、この中央反射面で配光する範囲を挟んだ両側に向けてそれぞれ配光する少なくとも一対の側方反射面とを一体に有する反射鏡を備えたため、交差点の中央部及びこの中央部を挟んだ両側の照度を高めることができ、ひいては交差点の照度を向上させることができる。
【図面の簡単な説明】
【００１０】
【図１】本発明の実施形態に係る交差点用照明器具を下方からみた斜視図である。
【図２】交差点用照明器具の構成を示す図であり、（Ａ）は平面図、（Ｂ）は側面図、（Ｃ）は底面図、（Ｄ）は正面図、及び（Ｅ）は背面図である。
【図３】図２（Ａ）のＩ−Ｉ線における断面視図である。
【図４】図１のＩＩ−ＩＩ線における断面図である。
【図５】器具本体の分解斜視図である。
【図６】ベースケース体の構成を示す図であり、（Ａ）は平面図、（Ｂ）は側面図、（Ｃ）は底面図、（Ｄ）は正面図、（Ｅ）は背面図である。
【図７】蓋体を開いた状態を示す交差点用照明器具の側面図である。
【図８】蓋体を開いた状態を示す交差点用照明器具の上方斜視図である。
【図９】交差点用照明器具の設置状態を示す模式図であり、（Ａ）は交差点用照明器具を示す側面図、（Ｂ）は交差点用発光素子ユニットを示す側面図である。
【図１０】交差点用照明器具の配光の説明図である。
【図１１】交差点用発光素子ユニットを示す正面側から示す斜視図である。
【図１２】交差点用発光素子ユニットを示す背面側から示す斜視図である。
【図１３】交差点用発光素子ユニットの構成を示す図であり、（Ａ）は正面図、（Ｂ）は底面図、（Ｃ）は平面図、（Ｄ）は左側面図である。
【図１４】交差点用照明器具の配光を示す説明図である。
【図１５】１灯の交差点用照明器具を配置したときの照度分布を示す図である。
【図１６】４灯の交差点用照明器具を配置したときの照度分布を示す図である。
【発明を実施するための形態】
【００１１】
以下、図面を参照して本発明の実施形態について説明する。
図１は本実施形態に係る交差点用照明器具１を下方からみた斜視図である。図２は交差点用照明器具１の構成を示す図であり、図２（Ａ）は平面図、図２（Ｂ）は側面図、図２（Ｃ）は底面図、図２（Ｄ）は正面図、及び図２（Ｅ）は背面図である。
この交差点用照明器具１は、図１に示すように、ポール型（ストレート型とも呼ばれる）の支柱４、又は、アーム型の支柱５の先端部３に器具本体１０を支持したものである。支柱４、５は交差点の路肩等の地面に立設された柱であり、ポール型の支柱４は、その先端部３が鉛直方向に真っ直ぐに延び、アーム型の支柱５は、柱の途中から曲がって先端部３が水平方向に水平、或いは所定角度傾いて延びている。この交差点用照明器具１の器具本体１０は、支柱４、５の両方に取り付け可能に構成されている。
【００１２】
器具本体１０は、アルミダイカスト等で形成され、図１、及び図２に示すように、一端１１Ａから他端１１Ｂにかけて長い平面視略矩形の箱型を成し、その一端１１Ａの近傍で上記支柱４、５の先端部３に支持され、他端１１Ｂを交差点側に向けて設置される。器具本体１０の底面１０Ａには、一端１１Ａの側に照射開口１２が形成され、この照射開口１２が平板状の透明なグローブガラス１３（図２（Ｃ））で覆われている。なお、図１は、グローブガラス１３から器具本体１０の内部を透視して示したものである。
【００１３】
器具本体１０は、背面１０Ｂ（すなわち一端１１Ａ近傍の外側面）にアーム用挿入孔１５（図２（Ｅ））が設けられ、また一端１１Ａ近傍の底面１０Ａにポール用挿入孔１６が設けられている。ポール型の支柱４に器具本体１０を支持する場合には、当該支柱４の先端部３が器具本体１０の底面１０Ａからポール用挿入孔１６に挿入され、またアーム型の支柱５に支持する場合には、当該支柱５の先端部３が器具本体１０の背面１０Ｂからアーム用挿入孔１５に挿入される。これらアーム用挿入孔１５、及びポール用挿入孔１６のうち、先端部３が挿入されていない方は閉塞板１７で閉塞される。
なお、本実施形態では、ポール型の支柱４に支持する交差点用照明器具１について主に説明する。
【００１４】
図３は図２（Ａ）のＩ−Ｉ線における断面視図であり、図４は図１のＩＩ−ＩＩ線における断面図である。図５は器具本体１０の分解斜視図である。
器具本体１０は、ベースケース体２０と、下カバー体２１と、蓋体２２とを備え、これらが器具本体１０の略箱型のケース体を構成する。これらベースケース体２０、下カバー体２１、及び蓋体２２は、屋外使用に十分に耐え得る耐食性があり、なおかつ、熱伝導性が高い材料（例えばアルミニウムやアルミニウム合金）を用いて形成されている。高熱伝導性の材料を用いることで、後述する光源ユニット２５の発熱がケース体（本実施形態では、特にベースケース体２０）から放熱され、光源ユニット２５の光源温度が発光動作に適切な温度に維持される。
ベースケース体２０は、器具本体１０の六面の外側面のうち、天面１０Ｃ、正面側、及び左右側の外側面１０Ｄ、１０Ｅ、１０Ｆを構成し、下カバー体２１は、器具本体１０の底面１０Ａを構成する。また蓋体２２は、器具本体１０の天面１０Ｃに開閉自在に設けられ、当該天面１０Ｃの一部から背面１０Ｂを構成する。
器具本体１０には、蓋体２２が開いて露出する箇所に後述するクランプユニット２６が内設され、また交差点側を向く他端１１Ｂの側に光源を構成する複数（本実施形態では６個）の光源ユニット２５が内設されている。
【００１５】
下カバー体２１は、ベースケース体２０の下面にネジ１９（例えば図４）でネジ止め固定され、当該ベースケース体２０の下面を閉じる部材であり、上述した照射開口１２、及び、ポール用挿入孔１６が形成されている。また、下カバー体２１は、図４、及び図５に示すように、照射開口１２を覆うようにグローブガラス１３が上側から嵌め込まれて当該グローブガラス１３を担持する。このグローブガラス１３の縁部には、シール部材としての環状のパッキン４２が全周に亘って嵌め込まれており、当該パッキン４２によって下カバー体２１の照射開口１２がシールされる。また、下カバー体２１をベースケース体２０に取り付けた際には、下カバー体２１とベースケース体２０との間でパッキン４２が挟み込まれて、当該ベースケース体２０の内部がシールされるが、その詳細については後述する。
【００１６】
図６はベースケース体２０の構成を示す図であり、図６（Ａ）は平面図、図６（Ｂ）は側面図、図６（Ｃ）は底面図、図６（Ｄ）は正面図、図６（Ｅ）は背面図である。
ベースケース体２０は、その内部が器具本体１０の一端１１Ａの側のクランプ取付室２７Ｂと、他端１１Ｂの側の光源室２７Ａとに仕切２８で仕切られている。クランプ取付室２７Ｂにはクランプユニット２６が配設され、光源室２７Ａには光源ユニット２５が配設されている。
クランプユニット２６は、器具本体１０のアーム用挿入孔１５、又は、ポール用挿入孔１６から挿入された支柱４、５の先端部３に挿入されて取り付けられる支柱取付具である。また光源ユニット２５は、交差点用照明器具１の光源であり、発光素子を備えて構成されている。
【００１７】
クランプユニット２６は、前掲図５に示すように、支柱４、５の先端部３に挿入される筒部２９と、この筒部２９の外周面２９Ｃに設けられた鍔部３０とを備えている。この鍔部３０がベースケース体２０のクランプ取付室２７Ｂの左右両側に設けられたクランプユニット固定部１８にボルト３１Ａ、及びナット３１Ｂで締結固定される。また筒部２９の外周面２９Ｃには周方向から、複数本の締め付け用のダブルナット３２が挿入され、これらダブルナット３２によって支柱４、５の先端部３に筒部２９が締め付け固定される。また、ポール型の支柱４に取り付けられるクランプユニット２６にあっては、筒部２９の下側の一端２９Ａがポール用挿入孔１６の近傍に配置され、上側の他端２９Ｂがクランプ取付室２７Ｂの奥に入り込み、この他端２９Ｂに、支柱４の中を通じて先端部３から引き出された電気配線を保持するホルダ３３が取り付けられる。
【００１８】
光源ユニット２５は、交差点用照明器具１の光源であり、発光素子を備えて構成されている。具体的には、前掲図５に示すように、光源ユニット２５は、ＬＥＤ基板３４に実装されたＣＯＢ型ＬＥＤ（発光素子モジュール）３５と、絶縁シート３６と、反射鏡３８とを備え、これらの順に重ねるように組み付けて構成されている。
ＬＥＤ基板３４は、ＣＯＢ型ＬＥＤ３５の発熱を裏面に効率良く伝えるために、高熱伝導性を有する例えばセラミック等で形成されている。
ＣＯＢ型ＬＥＤ３５は、多数のＬＥＤをＬＥＤ基板３４の上に密集配置して平面視略円形（四角形も有り得る）の面状の発光部３５Ａを形成したチップオンボード（ＣＯＢ）構造の発光デバイスである。この面状の発光部３５Ａは、この面に略垂直な方向に光軸Ｆを有し、この光軸Ｆが器具本体１０の底面１０Ａを指向する姿勢で器具本体１０の中に配置される。ＣＯＢ型ＬＥＤ３５は、多数のＬＥＤが密集配置されていることから大光量で高輝度な灯具が得られる。
【００１９】
絶縁シート３６は、開口３６Ａが形成され、当該開口３６Ａから発光部３５Ａを露出させつつＬＥＤ基板３４の実装面を覆い、このＬＥＤ基板３４と反射鏡３８との間を電気的に絶縁するシート材である。また絶縁シート３６は、反射鏡３８の組み付けベースとなる板材であり、ＬＥＤ基板３４を上記ベースケース体２０との間に挟むようにして当該ベースケース体２０にネジ止め固定される。上記ＬＥＤ基板３４は、絶縁シート３６による挟み込みにより、その裏面がベースケース体２０に密接した状態で固定される。
【００２０】
反射鏡３８は、ＣＯＢ型ＬＥＤ３５の配光を制御する配光制御部材であり、これらの配光制御により、横長の配光が実現されている。具体的には、反射鏡３８は、ＣＯＢ型ＬＥＤ３５の発光部３５Ａの周囲を囲む反射面３８Ａを有し、発光部３５Ａから側方に出る光を反射して配光を制御する。
【００２１】
図６に示すように、光源室２７Ａの天井を構成するベースケース体２０の天井面２０Ａには、ＬＥＤ基板３４の裏面と面接触して支持する台座面４０が所定の間隔で略格子状に設けられている。各台座面４０は、ＬＥＤ基板３４の各々が同一水平面（照射開口１２の開口面から一定の距離）に位置するように天井面２０Ａからの高さが設定されている。
台座面４０は、ベースケース体２０の天井面２０Ａに一体に形成されており、高熱伝導性を有するＬＥＤ基板３４を通じてＣＯＢ型ＬＥＤ３５の発熱が伝えられる。台座面４０の熱は、ベースケース体２０の天井面２０Ａに伝へられ、当該ベースケース体２０の天面１０Ｃから外部に放熱され、これにより、ＣＯＢ型ＬＥＤ３５の光源温度が発光動作に適切な温度に維持される。なお、ＣＯＢ型ＬＥＤ３５に代えて、他の構造のＬＥＤ、或いは有機ＥＬ等の他の発光素子を用いても良いことは勿論である。
【００２２】
本実施形態では、ベースケース体２０には、光源室２７Ａの側に各光源ユニット２５を包囲する平面視矩形枠状の包囲壁４１を設け、この包囲壁４１の中を水密にすることで、光源室２７Ａを防水することとしている。すなわち、前掲図４に示すように、包囲壁４１の全周に亘り、その先端４１Ａが、下カバー体２１に担持されたグローブガラス１３のパッキン４２に密着し、これにより包囲壁４１の内部が水密にシールされる。
上記包囲壁４１のうち、クランプ取付室２７Ｂに面する箇所は上記仕切２８によって構成されており、この仕切２８には、電源線引込孔４３が開口し、この電源線引込孔４３を通じて電気配線がクランプ取付室２７Ｂから光源室２７Ａに引き込まれる。このとき電源線引込孔４３をシールするために、この電源線引込孔４３にブッシング４４を嵌合し、このブッシング４４に電源線を通して配線される。
【００２３】
また、光源室２７Ａの各光源ユニット２５とクランプユニット２６とは、図３に示すように、側面視略水平に延びるベースケース体２０に、クランプユニット２６による支柱４、５への固定箇所Ｐと、器具本体１０の重心位置Ｑとの高さ方向のズレを抑えて（理想的には、同一水平面上に）配置した。これにより、器具本体１０の共振点が下がることから交差点用照明器具１の設置箇所の振動の影響が少なくなり、使用環境が拡大される。
【００２４】
蓋体２２は、前掲図３に示すように、上記クランプ取付室２７Ｂを覆い、上記ベースケース体２０の天面１０Ｃにヒンジ金具４６で開閉自在に取り付けられている。
図７は蓋体２２を開いた状態を示す交差点用照明器具１の側面図であり、図８は同状態を示す交差点用照明器具１の上方斜視図である。
これらの図、及び前掲図６に示すように、ベースケース体２０の天面１０Ｃ、及び背面側には、クランプ取付室２７Ｂを露出する開口４７が形成されている。具体的には、開口４７は、クランプ取付室２７Ｂの天井に対応する箇所の天面１０Ｃから背面１０Ｂに亘る範囲を露出するように形成されており、さらに、クランプ取付室２７Ｂの左右の両側面の側も露出するように形成されている。
【００２５】
これにより、図８に示すように、クランプ取付室２７Ｂの背面側がベースケース体２０に覆われることなく開放されることとなり、クランプ取付室２７Ｂでの作業が容易となる。特に、図８に示すように、器具本体１０がポール型の支柱４に取り付けられる場合、クランプユニット２６の筒部２９はクランプ取付室２７Ｂの中で上下に延び外周面２９Ｃが背面側に対面するように配設される。したがって、支柱４の先端部３を固定するダブルナット３２が器具本体１０の背面側に面するようにクランプユニット２６が配置されることで、背面側から開口４７を通じてダブルナット３２を簡単に操作することができ、器具本体１０の取付作業が容易となる。
【００２６】
蓋体２２は、クランプ取付室２７Ｂの開口４７を閉じるものであり、クランプ取付室２７Ｂに対応する天面１０Ｃと背面１０Ｂとが一体に形成されている。蓋体２２の背面１０Ｂに対応する箇所には、アーム用挿入孔１５が形成されており、このアーム用挿入孔１５が不使用である場合には、閉塞板１７が取り付けられて閉塞されている。
かかる蓋体２２は、ベースケース体２０の天面１０Ｃの略中央（より正確にはクランプ取付室２７Ｂと光源室２７Ａとの境界近傍）に設けたヒンジ金具４６に、光源室２７Ａ側に突出したヒンジ側端部２２Ａ（図５）を結合してベースケース体２０に取り付けられる。したがって、蓋体２２の開閉軸が天面１０Ｃの上になることから、蓋体２２を開いた場合に当該蓋体２２が天面１０Ｃの上に移動する。このため、器具本体１０の背面１０Ｂの側の近くに壁面等の構造物が有る場合でも、開蓋時に蓋体２２が干渉することがなく、蓋体２２を大きく開くことができる。
【００２７】
器具本体１０の天面１０Ｃは、前掲図４に示すように、左右の略中央部を頂点にして左右両側が低くなるように弧を描いて緩やかに屈曲した曲面形状を成し、天面１０Ｃに降り注ぐ風雨、及び積雪が左右両側に促されるようになっている。
また、器具本体１０の天面１０Ｃは、前掲図２（Ｂ）に示すように、正面側（すなわち光源室２７Ａの側）の他端１１Ｂから背面側（すなわちクランプ取付室２７Ｂ）の側にかけて流線２０Ｌを描く形状とされている。これにより、図７に示すように、器具本体１０が水平面Ｈに対して所定角度αの傾斜角度で他端１１Ｂを上を向けた姿勢で取り付けられた場合に、天面１０Ｃに降り注ぐ雨水や積雪を背面側に移動させつつ、天面１０Ｃの両側からスムーズに落下させるようになっている。
さらに、この器具本体１０には、クランプ取付室２７Ｂの近傍の光源室２７Ａの天面１０Ｃに、左右の両側に亘って横断し排水溝としての機能を有する横溝４５が形成され、また、前掲図２に示すように、他端１１Ｂから背面側に向けて延び、上記横溝４５に合流する複数本の誘導溝４８が形成されている。これにより、光源室２７Ａの側の他端１１Ｂから背面側への雨水等の移動を促進し横溝４５からスムーズに落下させることができる。
本実施形態では、各誘導溝４８が上述の台座面４０の直上に対応した位置に設けられており、台座面４０を通じて伝熱される光源の熱で積雪を溶かし、横溝４５に効率良く案内されるようになっている。
【００２８】
ここで、器具本体１０の天面１０Ｃを構成する上記ベースケース体２０は、前掲図３に示すように、天面１０Ｃの板厚Ｔが光源室２７Ａの側の他端１１Ｂからクランプ取付室２７Ｂにかけて次第に厚くなっている。そして、上記横溝４５は、クランプ取付室２７Ｂの近傍の光源室２７Ａの天面１０Ｃ、すなわち板厚Ｔが十分に厚く剛性が高い位置に設けられており、横溝４５を設けられても天面１０Ｃの剛性が確保されているようになっている。
また蓋体２２の結合側の縁部は横溝４５に沿って配置され、横溝４５が蓋体２２の開閉に要するクリアランスも兼ねている。この横溝４５の中には、蓋体２２に結合される上記ヒンジ金具４６が収められておりヒンジ金具４６が露出しないようにすることで意匠が高められている。このとき、ヒンジ金具４６は、横溝４５の底面４５Ａから高い位置であり、かつ、蓋体２２のヒンジ側端部２２Ａで覆われた位置に配設されている。これにより、ヒンジ金具４６が風雨に曝され、また横溝４５の雨水に浸水し難くなり、水による腐食が抑制される。
【００２９】
器具本体１０は、図８に示すように、支柱４、５への設置時に蓋体２２を開位置で支持するストッパー機構４９を備えている。
ストッパー機構４９は、蓋体２２の裏面に設けたレール５０と、ベースケース体２０に一端５１Ａが結合され他端５１Ｂがレール５０に案内自在に係合し蓋体２２を支持する支持棒５１とを備えている。レール５０には、蓋体２２の開閉に伴って支持棒５１の他端５１Ｂが移動する直線状の孔である案内路５０Ａが設けられている。開蓋時には、蓋体２２が９０度以上（本実施形態では１１５度）の開き角度β（図７）に開いた状態で支持棒５１が案内路５０Ａの下端部５０Ａ１に引っ掛かって蓋体２２を支持する。また案内路５０Ａには、下端部５０Ａ１を略Ｌ字状に上方（天面１０Ｃの側）に延ばした支え用端部５０Ａ２が設けられている。この支え用端部５０Ａ２に支持棒５１が引っ掛かることで、支持棒５１が蓋体２２の開き角度βが９０度以下の状態で蓋体２２を閉蓋不能に支持する。
【００３０】
また、閉蓋時には、支持棒５１の他端５１Ｂが案内され当該案内路５０Ａの直線方向の端である上端部５０Ａ３に移動する。この上端部５０Ａ３に支持棒５１が引っ掛かった状態においては、蓋体２２が全閉しない状態で支持棒５１が蓋体２２を閉蓋不能に支持する。一方、案内路５０Ａには上端部５０Ａ３に至る途中に、閉蓋方向Ｄに分岐する分岐路５０Ａ４が設けられており、この分岐路５０Ａ４に支持棒５１の他端５１Ｂが入り込むことで、支持棒５１による蓋体２２の支持が解かれて蓋体２２が全閉する。
すなわち、開いた蓋体２２が閉じるには、作業者が分岐路５０Ａ４に支持棒５１の他端５１Ｂを案内するように操作する必要がある。このような操作が成されずに、例えば風等の影響で蓋体２２が閉じようとする場合には、支持棒５１の他端５１Ｂが案内路５０Ａを直線状に勢いよく移動し、ストレートに上端部５０Ａ３に到達して蓋体２２が全閉する前に係止され、作業中に不意に蓋体２２に挟まれるといった事を防止できる。
【００３１】
ところで、本実施形態のように、ランプに比べて小型のＣＯＢ型ＬＥＤ３５を光源とし、器具本体１０を比較的薄く形成した場合には、器具本体１０内のスペースが限られるため、反射鏡３８を小型化する必要がある。反射鏡３８を小型化しつつ、交差点の照度及び均斉度を高めるようにＣＯＢ型ＬＥＤ３５の光を交差点に適切に配光しようとする場合には、反射鏡３８を複数の別体の反射体で構成することが考えられるが、部品点数が増加し、製造工程が煩雑化する。
【００３２】
そこで、本実施形態では、反射鏡３８を、小型化しつつ、交差点の照度及び均斉度を高めることが可能な構成としている。この反射鏡３８は、ＣＯＢ型ＬＥＤ３５とともに、本実施形態の交差点用発光素子ユニット（発光素子ユニットに）７を構成しており、以下、交差点用発光素子ユニット７について詳細に説明する。
図９は交差点用照明器具１の設置状態を示す模式図であり、図９（Ａ）は交差点用照明器具１を示す側面図、図９（Ｂ）は交差点用発光素子ユニット７を示す側面図である。
この図に示すように、以下の説明においては、ポール型の支柱４に器具本体１０を、器具本体１０を取り付け高さが約１０ｍ、傾斜角度αが水平面Ｈに対して１０°で支持した交差点用照明器具１を示しているが、これに限定されるものではなく、ポール型の支柱５に器具本体１０を支持してもよいし、器具本体の高さ及び傾斜角度αは適宜変更可能である。
【００３３】
図１０は、交差点用照明器具１の照射光の方向を示す説明図である。図１１は交差点用発光素子ユニット７を示す正面側から示す斜視図であり、図１２は交差点用発光素子ユニット７を示す背面側から示す斜視図である。図１３は交差点用発光素子ユニット７の構成を示す図であり、図１３（Ａ）は正面図、図１３（Ｂ）は底面図、図１３（Ｃ）は平面図、図１３（Ｄ）は左側面図である。図１４は、交差点用照明器具１の配光を示す説明図である。
交差点用照明器具１は、図１０に示すように、例えば４つの道路Ｒが接続される交差点９０における１つの隅部９０Ａに、隅部９０Ａに対向する隅部９０Ｂに器具本体１０を向けるように配置されている。本実施形態では、片側２車線であり、幅員が１９ｍの道路Ｒを例に説明するが、道路の車線数や幅員はこれに限定されない。
【００３４】
反射鏡３８は、図１０−図１４に示すように、複数の固定部３８Ｃを有し、これらの固定部３８Ｃがベースケース体２０（例えば、図５参照）にねじ止めされることで固定される。本実施形態では、正面３８Ａ１に１つ、背面３８Ａ２に２つ、計３つの固定部３８Ｃが設けられているが、固定部３８Ｃの個数や配置位置はこれに限定されるものではない。反射鏡３８は、光軸Ｆに直交して反射鏡３８の左右に延びる線Ｌ１が、交差点の隅部９０Ａに隣接する隅部９０Ｃ、９０Ｄを結ぶ線Ｌ２と略平行となるように固定される。
【００３５】
反射鏡３８は、下面を開口した平面略矩形の箱状をなし、反射面３８Ａとして、正面３８Ａ１と、背面３８Ａ２と、底面３８Ａ３と、左側面３８Ａ４と、右側面３８Ａ５とを備えている。反射面３８Ａは、例えばアルミニウムから形成された反射鏡３８の表面に増反射膜等を蒸着することで反射率が高められている。この反射鏡３８は、底面３８Ａ３がＣＯＢ型ＬＥＤ３５に対向するように配置され、底面３８Ａ３には、上記発光部３５Ａに対応する箇所に、当該発光部３５Ａを露出させる開口３８Ｂが形成されている。反射鏡３８は、光軸Ｆ方向において発光部３５Ａと所定距離Ｄだけ離間配置され、発光部３５Ａの熱を効率良く逃がすことができるようになっている。
【００３６】
背面３８Ａ２の略中央には、交差点９０の中央部９１に向けて光ＫＡを配光する中央反射面８０Ａが形成されている。この中央反射面８０Ａは、底面視で反射鏡３８の内側に湾曲する湾曲面に形成され、底面３８Ａ３から下方に向けて反射鏡３８の外側に広がるように延出している。中央反射面８０Ａからの光ＫＡは、発光部３５Ａからの直射光が照射される直射光エリアＡ０の隅部９０Ｂ側の周囲に位置する交差点中央エリアＡＡを照射する。
【００３７】
また、背面３８Ａ２には、中央反射面８０Ａの左右に、交差点９０の中央部９１を挟んだ両側に向けて光ＫＢ、ＫＨを配光する一対の第１側方反射面８０Ｂ、８０Ｈが形成されている。これらの側方反射面８０Ｂ、８０Ｈは、底面３８Ａ３から下方に向けて反射鏡３８の外側に広がるように延出している。中央反射面８０Ａの左側に位置する第１左側方反射面８０Ｂは、線Ｌ１に対し若干右側に向けた平坦面に形成され、隅部９０Ａの右側（図１０では、下側）の道路Ｒに向けて光ＫＢを配光する。中央反射面８０Ａの右側に位置する第１右側方反射面８０Ｈは、線Ｌ１に対し若干左側に向けた平坦面に形成され、隅部９０Ａの左側（図１０では、下側）の道路Ｒに向けて光ＫＨを配光する。第１側方反射面８０Ｂ、８０Ｈからの光ＫＢ、ＫＨは、交差点中央エリアＡＡを挟んだ両側の第１側方エリアＡＢ、ＡＨを照射する。
【００３８】
反射鏡３８の正面３８Ａ１には、交差点用照明器具１の背後９２に向けて光ＫＥを配光する背後反射面８０Ｅが形成されている。背後反射面８０Ｅは、底面３８Ａ３から下方に向けて反射鏡３８の外側に広がるように延出する平坦面である。背後反射面８０Ｅからの光ＫＥは、直射光エリアＡ０の背後側の周囲に位置する背後エリアＡＥを照射する。これにより、交差点用照明器具１の背後９２の照度が高まり、横断を待機する人の視認性を向上させることができる。
【００３９】
底面３８Ａ３にも、交差点９０の中央部９１を挟んだ両側に向けて光ＫＤ、ＫＦを配光する第２側方反射面８０Ｄ、８０Ｆが形成されている。第２左側方反射面８０Ｄは、背面３８Ａ２の略中央部から反射鏡３８の左側面３８Ａ４に向けて延出する曲面であり、左側の道路Ｒに向けて光ＫＤを配光する。第２右側方反射面８０Ｆは、背面３８Ａ２の略中央部から反射鏡３８の右側面３８Ａ５に向けて延出する曲面であり、右側の道路Ｒに向けて光ＫＦを配光する。第２側方反射面８０Ｄ、８０Ｆからの光ＫＤ、ＫＦは、第１側方エリアＡＢ、ＡＨと背後エリアＡＥとの間の第２側方エリアＡＤ、ＡＦを照射する。
このように、背面３８Ａ２及び底面３８ＡＣのそれぞれに、交差点９０の中央部９１を挟んだ両側に向けて配光する一対の反射面８０Ｂ、８０Ｈ及び反射面８０Ｄ、８０Ｆを設けたため、反射鏡３８の上下方向の高さを抑えつつ、広い照明エリアを照明できる。なお、本実施形態では、ＣＯＢ型ＬＥＤ３５の発光部３５Ａが直径２２ｍｍに形成され、反射鏡３８は縦７０ｍｍ、横１０５ｍｍ、高さ２０ｍｍに形成されている。
【００４０】
底面３８Ａ３の開口３８Ｂは、ＣＯＢ型ＬＥＤ３５少なくとも２つの隅部上を通るように斜めに延出しており、ＣＯＢ型ＬＥＤ３５の少なくとも２つの隅部上の底面３８Ａ３には、ＣＯＢ型ＬＥＤ３５を抑える抑え部３８Ｄを有する。これにより、ＣＯＢ型ＬＥＤ３５を抑える部材を別途設ける必要がなくなるので、部品点数を低減できる。また、光を効率良く出射させる程度に小さく開口３８Ｂを形成することで、反射鏡３８の強度を高めることができる。
開口３８Ｂは、延出方向の一端３８Ｂ１が第２左側方反射面８０Ｄまで延出し、延出方向の他端３８Ｂ２が中央反射面８０Ａ、及び第１右側方反射面８０Ｈまで延出している。これにより、開口３８Ｂを大きく取ることができるので、ＣＯＢ型ＬＥＤ３５の直射光を多く出射できる。
【００４１】
左側面３８Ａ４には、左右の道路Ｒの両方に向けて光ＫＣを配光する左側補助反射面８０Ｃが形成されている。左側補助反射面８０Ｃは、光軸Ｆに沿って延出する平坦面に形成され、発光部３５Ａからの光を右側の道路Ｒに向けて配光し、反射面８０Ｈからの光を左側の道路Ｒに向けて配光する。右側面３８Ａ５にも、左右の道路Ｒの両方に向けて光ＫＧを配光する右側補助反射面８０Ｇが形成されている。右側補助反射面８０Ｇは、光軸Ｆに沿って延出する平坦面に形成され、発光部３５Ａからの光を左側の道路Ｒに向けて配光し、反射面８０Ｂからの光を右側の道路Ｒに向けて配光する。補助反射面８０Ｃ、８０Ｇからの光ＫＣ、ＫＧは、第１側方エリアＡＢ、ＡＨと第２側方エリアＡＤ、ＡＦとの間に位置する補助エリアＡＣ、ＡＧを照射する。
これにより、左右の道路Ｒは、主に反射面８０Ｂ、８０Ｃ、８０Ｄ、８０Ｆ、８０Ｇ、８０Ｈからの光ＫＢ、ＫＣ、ＫＤ、ＫＦ、ＫＧ、ＫＨにより照明されることとなり、交差点９０近傍の道路Ｒの照度を高めることができる。なお、補助反射面８０Ｃ、８０Ｇ形成を省略してもよい。
【００４２】
上記のように反射鏡３８を構成することで、図１４に示すように、直射光エリアＡ０の周囲略全体を取り囲むように配光し、鉛直角θｖ方向（図１３）及び水平角θｈ方向に広いエリアを照明できる。しかも、反射面８０Ａ−８０Ｈを一体に形成したため、各反射面を別体に形成する場合に比べ、部品点数を削減し、製造工程を簡素化できる。
また、左側の道路Ｒに設けられた左側の横断歩道９３は、直射光エリアＡ０、側方エリアＡＤ、ＡＨの範囲内にあり、直射光と、反射面８０Ａ、８０Ｄ、８０Ｈからの光ＫＡ、ＫＤ、ＫＨ（図１０）によって照明される。一方、右側の道路Ｒに設けられた右側の横断歩道９３は、直射光エリアＡ０、側方エリアＡＢ、ＡＦの範囲内にあり、直射光と、反射面８０Ａ、８０Ｂ、８０Ｆからの光ＫＡ、ＫＢ、ＫＦ（図１０）によって照明される。これにより、横断歩道９３の略全域を照明することができ、横断歩道９３の視認性を向上できる。
【００４３】
このように構成した反射鏡３８を用いた交差点用照明器具１を１灯交差点９０に配置したときには、図１５の照度分布となり、交差点９０に４灯の交差点用照明器具１を配置したときには、図１６の照度分布となる。なお、図１５及び図１６において、曲線上の数値は維持照度（単位、Ｌｘ）を示す。図１６の例では、交差点９０の平均水平面照度を２０Ｌｘ（ルクス）以上、均斉度０．４以上にすることができる。
【００４４】
以上説明したように、本実施形態によれば、次のような効果を奏する。
【００４５】
すなわち、本実施形態によれば、交差点９０内に向けて水平方向に広い角度で扇状に配光する、発光部側に湾曲して形成した中央反射面８０Ａと、この中央反射面８０Ａで配光する交差点中央エリアＡＡを挟んだ両側に向けてそれぞれ配光する少なくとも一対（本実施形態では、二対）の第１側方反射面８０Ｂ、８０Ｈ及び第２側方反射面８０Ｄ、８０Ｆとを一体に有する反射鏡３８を備え、交差点用照明器具１が配置される隅部９０Ａと、当該隅部９０Ａに対面する隅部９０Ｂとの間を照明する構成とした。この構成により、交差点９０の中央部９１及びこの中央部９１を挟んだ両側の照度を高めることができ、ひいては交差点９０の照度を向上させることができる。
【００４６】
また本実施形態によれば、反射鏡３８は、ＣＯＢ型ＬＥＤ３５の発光部３５Ａとの間に光軸Ｆ方向に対して離間配置されるため、発光部３５Ａの熱を効率良く逃がすことができる。
また本実施形態によれば、反射鏡３８は、発光部３５Ａからの直射光が照射される直射光エリアＡ０の周囲を取り囲むように配光する構成とした。この構成により、直射光エリアＡ０の周囲の照度を高めることができ、交差点９０の照度を向上させることができる。
【００４７】
また本実施形態によれば、反射鏡３８は、交差点９０に接続される道路Ｒに向けて配光する反射面８０Ｂ、８０Ｃ、８０Ｄ、８０Ｆ、８０Ｇ、８０Ｈを有する構成とした。この構成により、交差点９０近傍の道路Ｒの照度を高めることができ、広いエリアを照明できる。
【００４８】
また本実施形態によれば、反射鏡３８は、交差点用照明器具１の背後９２に向けて配光する背後反射面８０Ｅを有する構成とした。この構成により、交差点用照明器具１の背後９２の照度を高めることができ、横断を待機する人の視認性を向上させることができる。
【００４９】
なお、上述した実施形態は、あくまでも本発明の一態様を例示したものであって、本発明の趣旨を逸脱しない範囲で任意に変形、及び応用が可能である。
例えば、本発明は、器具本体が支柱に限らず、例えば建物の壁等に支持される照明器具に適用可能である。
また、本発明の交差点用照明器具は、交差点四隅への４灯配置のほかに、例えば交通量の少ない交差点の対角二隅への２灯配置や、Ｔ字交差点への１−２灯配置、変則交差点や中央分離帯付の交差点への配置等、あらゆる配置にも対応できる。
【符号の説明】
【００５０】
１  交差点用照明器具
７  交差点用発光素子ユニット（発光素子ユニット）
３４  ＬＥＤ基板
３５  ＣＯＢ型ＬＥＤ（発光素子モジュール）
３５Ａ  発光部
３８  反射鏡
３８Ａ  反射面
８０Ａ  中央反射面
８０Ｂ、８０Ｄ、８０Ｆ、８０Ｈ  側方反射面（道路反射面）
８０Ｃ、８０Ｇ  補助反射面（道路反射面）
８０Ｅ  背後反射面
９０  交差点
９０Ａ−９０Ｄ  隅部
９１  中央部
９２  背後
９３  横断歩道
Ａ０  直射光エリア
Ｒ  道路
【図１】
2014072082.tif 000003
【図２】
2014072082.tif 000004
【図３】
2014072082.tif 000005
【図４】
2014072082.tif 000006
【図５】
2014072082.tif 000007
【図６】
2014072082.tif 000008
【図７】
2014072082.tif 000009
【図８】
2014072082.tif 000010
【図９】
2014072082.tif 000011
【図１０】
2014072082.tif 000012
【図１１】
2014072082.tif 000013
【図１２】
2014072082.tif 000014
【図１３】
2014072082.tif 000015
【図１４】
2014072082.tif 000016
【図１５】
2014072082.tif 000017
【図１６】
2014072082.tif 000018